【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
遊技媒体を循環させる循環経路を有し、遊技者により遊技が行なわれる封入式の遊技機と、該遊技機と通信可能に接続された遊技用装置とを備える遊技用システムであって、
前記遊技用装置は、
該遊技用装置を制御する第１の制御手段と、
該第１の制御手段と通信可能に接続された第２の制御手段とを含み、
前記第１の制御手段は、
前記第２の制御手段の異常を判定する判定手段と、
前記判定手段により前記第２の制御手段の異常が判定されたときに異常を報知する制御を行なう異常報知制御手段とを含み、
前記第２の制御手段は、
前記遊技機と通信可能に接続され、
前記第１の制御手段の異常を判定する異常判定手段を含み、さらに、
前記異常判定手段により前記第１の制御手段の異常が判定されたときに異常が発生したことを通知する異常通知情報を前記遊技機へ出力する出力手段を含み、
前記遊技機は、前記異常通知情報を受信したときに異常を報知する制御を行なうことを特徴とする、遊技用システム。
【請求項２】
遊技媒体を循環させる循環経路を有する封入式の遊技機が設置された遊技場において用いられる遊技用装置であって、
前記遊技用装置を制御する第１の制御手段と、
該第１の制御手段と通信可能に接続された第２の制御手段とを備え、
前記第１の制御手段は、
前記第２の制御手段の異常を判定する判定手段と、
前記判定手段により前記第２の制御手段の異常が判定されたときに異常を報知する制御を行なう異常報知制御手段とを含み、
前記第２の制御手段は、
前記遊技機と通信するための通信部と、
前記第１の制御手段の異常を判定する異常判定手段と、
該異常判定手段により前記第１の制御手段の異常が判定されたときに異常が発生したことを通知する異常通知情報を前記通信部から出力する出力手段とを含むことを特徴とする、遊技用装置。
【請求項３】
遊技媒体を循環させる循環経路を有し、遊技領域に遊技媒体を発射して遊技が行なわれる封入式の遊技機であって、
前記遊技機を制御する第１の制御手段と、
該第１の制御手段と通信可能に接続された第２の制御手段とを備え、
前記第１の制御手段は、
前記第２の制御手段の異常を判定する判定手段と、
前記判定手段により前記第２の制御手段の異常が判定されたときに異常を報知する制御を行なう異常報知制御手段とを含み、
前記第２の制御手段は、
遊技場に設置された遊技用装置と通信するための通信部と、
前記第１の制御手段の異常を判定する異常判定手段と、
該異常判定手段により前記第１の制御手段の異常が判定されたときに異常が発生したことを通知する異常通知情報を前記通信部から出力する出力手段とを含むことを特徴とする、遊技機。
【請求項４】
遊技媒体を循環させる循環経路と、表示状態が変化可能な可変表示装置とを備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となる封入式の遊技機であって、
前記遊技機を制御する第１の制御手段と、
該第１の制御手段と通信可能に接続された第２の制御手段とを備え、
前記第１の制御手段は、
前記第２の制御手段の異常を判定する判定手段と、
前記判定手段により前記第２の制御手段の異常が判定されたときに異常を報知する制御を行なう異常報知制御手段とを含み、
前記第２の制御手段は、
遊技場に設置された遊技用装置と通信するための通信部と、
前記第１の制御手段の異常を判定する異常判定手段と、
該異常判定手段により前記第１の制御手段の異常が判定されたときに異常が発生したことを通知する異常通知情報を前記通信部から出力する出力手段とを含むことを特徴とする、遊技機。
【手続補正２】
【補正対象書類名】明細書
【補正対象項目名】０００８
【補正方法】変更
【補正の内容】
【０００８】
（１）  本発明は、遊技媒体を循環させる循環経路を有し、遊技者により遊技が行なわれる封入式の遊技機（パチンコ機２、スロットマシン２Ｓ）と、該遊技機と通信可能に接続された遊技用装置（カードユニット３）とを備える遊技用システムであって、
前記遊技用装置は、
該遊技用装置を制御する第１の制御手段（メイン制御部３２３）と、
該第１の制御手段と通信可能に接続された第２の制御手段（ＣＵ通信制御部８０）とを含み、
前記第１の制御手段は、
前記第２の制御手段の異常を判定する判定手段と、
前記判定手段により前記第２の制御手段の異常が判定されたときに異常を報知する制御を行なう異常報知制御手段（ＣＰＵ８０５、表示制御部７９７等）とを含み、
前記第２の制御手段は、
前記遊技機と通信可能に接続され（コネクタ３８０、２０、またはコネクタ３３０、２２０により接続され）、
前記第１の制御手段の異常を判定する異常判定手段（図２６の機器認証シーケンスと図２７の単体認証シーケンス）を含み、さらに、
前記異常判定手段により前記第１の制御手段の異常が判定されたときに異常が発生したことを通知する異常通知情報（異常通知信号）を前記遊技機へ出力する出力手段（図８のメイン制御部３２３の異常を検知したＣＵ通信制御部８０がＰ台通信制御部８１へ通知する：図７のＩ／Ｏポート８１２）を含み、
前記遊技機は、前記異常通知情報を受信したときに異常を報知する制御を行なう（Ｐ台通信制御部８１はそれを受けて異常発生した旨を払出制御部１７へ通知する。払出制御部１７はそれを受けて異常発生した旨を主制御基板１６へ通知する。主制御基板１６は、前述と同様に、異常報知ランプを作動させる制御を行なうとともにホール用管理コンピュータ１へ異常が発生した旨の信号を送信する）ことを特徴とする。
【手続補正３】
【補正対象書類名】明細書
【補正対象項目名】００１０
【補正方法】変更
【補正の内容】
【００１０】
（２）  本発明の他の態様は、遊技媒体を循環させる循環経路を有する封入式の遊技機（パチンコ機２、スロットマシン２Ｓ）が設置された遊技場において用いられる遊技用装置（カードユニット３）であって、
前記遊技用装置を制御する第１の制御手段（メイン制御部３２３）と、
該第１の制御手段と通信可能に接続された第２の制御手段（ＣＵ通信制御部８０）とを備え、
前記第１の制御手段は、
前記第２の制御手段の異常を判定する判定手段と、
前記判定手段により前記第２の制御手段の異常が判定されたときに異常を報知する制御を行なう異常報知制御手段（ＣＰＵ８０５、表示制御部７９７等）とを含み、
前記第２の制御手段は、
前記遊技機と通信するための通信部（図７のＩ／Ｏポート８１２）と、
前記第１の制御手段の異常を判定する異常判定手段（図２６の機器認証シーケンスと図２７の単体認証シーケンス）と、
該異常判定手段により前記第１の制御手段の異常が判定されたときに異常が発生したことを通知する異常通知情報（異常通知信号）を前記通信部から出力する出力手段（図８のメイン制御部３２３の異常を検知したＣＵ通信制御部８０がＰ台通信制御部８１へ通知する：図７のＩ／Ｏポート８１２）とを含むことを特徴とする。
【手続補正４】
【補正対象書類名】明細書
【補正対象項目名】００１２
【補正方法】変更
【補正の内容】
【００１２】
（３）  本発明のさらに他の態様は、遊技媒体を循環させる循環経路を有し、遊技領域に遊技媒体を発射して遊技が行なわれる封入式の遊技機（パチンコ機２）であって、
前記遊技機を制御する第１の制御手段（主制御基板１６）と、
該第１の制御手段と通信可能に接続された第２の制御手段（ＬＳＩ７９９）とを備え、  前記第１の制御手段は、
前記第２の制御手段の異常を判定する判定手段（主制御基板１６のＣＰＵ）と、
前記判定手段により前記第２の制御手段の異常が判定されたときに異常を報知する制御を行なう異常報知制御手段（主制御基板１６のＣＰＵ、Ｉ／Ｏポート）とを含み、
前記第２の制御手段は、
遊技場に設置された遊技用装置と通信するための通信部（Ｐ台通信制御部８１）と、    前記第１の制御手段の異常を判定する異常判定手段（図２６の機器認証シーケンスと図２７の単体認証シーケンス）と、
該異常判定手段により前記第１の制御手段の異常が判定されたときに異常が発生したことを通知する異常通知情報を前記通信部から出力する出力手段（図８の主制御基板１６の異常を検知した払出制御部１７がＰ台通信制御部８１からＣＵ通信制御部８０へ通知する）とを含むことを特徴とする。
【手続補正５】
【補正対象書類名】明細書
【補正対象項目名】００１４
【補正方法】変更
【補正の内容】
【００１４】
（４）  本発明のさらに他の態様は、遊技媒体を循環させる循環経路と、表示状態が変化可能な可変表示装置とを備え、１ゲームに対して賭数を設定することによりゲームが開始可能となるとともに、可変表示装置の表示結果が導出表示されることにより１ゲームが終了し、導出表示された表示結果が予め定められた特定の表示結果となったときに入賞が発生可能となる封入式の遊技機（スロットマシン２Ｓ）であって、
前記遊技機を制御する第１の制御手段（主制御基板１１６）と、
該第１の制御手段と通信可能に接続された第２の制御手段（ＬＳＩ９９９）とを備え、  前記第１の制御手段は、
前記第２の制御手段の異常を判定する判定手段（主制御基板１１６のＣＰＵ）と、
前記判定手段により前記第２の制御手段の異常が判定されたときに異常を報知する制御を行なう異常報知制御手段（主制御基板１１６のＣＰＵ、Ｉ／Ｏポート）とを含み、
前記第２の制御手段は、
遊技場に設置された遊技用装置と通信するための通信部（Ｓ台通信制御部８２）と、    前記第１の制御手段の異常を判定する異常判定手段（図２６の機器認証シーケンスと図２７の単体認証シーケンス）と、
該異常判定手段により前記第１の制御手段の異常が判定されたときに異常が発生したことを通知する異常通知情報を前記通信部から出力する出力手段（主制御基板１１６の異常を検知した払出制御部１１７がＳ台通信制御部８２からＣＵ通信制御部８０へ通知する）とを含むことを特徴とする。